(57)【要約】【課題】光効率を向上させると共にスリム化を図る。【解決手段】光学シートは、拡散層４２０、集光層４１０、及び反射パターン層４３０，４４０，４５０を含む。拡散層４２０は光を拡散させ、集光層４１０は拡散層４２０の表側に位置する。反射パターン層は、集光層４１０と拡散層４２０との間の第２領域に形成され、拡散層４２０及び集光層４１０の所定間隔を維持する反射部材と、拡散層４２０と集光層４１０との間の第１領域で形成されたギャップ４５０を含む。したがって、拡散層４２０と集光層４１０とが一体に形成されて組立が容易となり、反射部材４３０によって形成されるギャップ４５０により光の損失を防止することができる。【選択図】図３
2007025686.tif 000002
【特許請求の範囲】
【請求項１】
光源からの光を拡散する拡散層と、
前記拡散層を挟んで前記光源と反対側に配置された集光層と、
前記集光層上に形成され、前記拡散層と前記集光層との所定の間隔を維持し、前記集光層と前記拡散層との間に前記間隔を有するギャップを形成する反射部材と、
を含む光学シート。
【請求項２】
前記拡散層には複数の凹凸が形成されている、請求項１記載の光学シート。
【請求項３】
前記集光層は、
ベースフィルムと、
前記ベースフィルム上に形成された複数のレンズと、
を有する、請求項１記載の光学シート。
【請求項４】
前記複数のレンズのそれぞれは、前記光源の長手方向に沿って延び、互いに隣接し、前記長手方向に垂直な面における断面が半円形状である、請求項３記載の光学シート。
【請求項５】
前記複数のレンズのそれぞれは、前記光源の長手方向に沿って延び、互いに隣接し、前記長手方向に垂直な面における断面が、頂点が丸みを帯びた三角形状である、請求項３記載の光学シート。
【請求項６】
前記複数のレンズのそれぞれは、前記光源の長手方向に沿って延び、互いに隣接し、前記長手方向に垂直な面における断面が台形状である、請求項３記載の光学シート。
【請求項７】
前記反射部材は、前記複数のレンズの間の境界領域に対応する位置に、前記ランプの長手方向に延在して形成されている、請求項３記載の光学シート。
【請求項８】
前記反射部材は、前記集光層の光源側の面に一体に形成されている、請求項１記載の光学シート。
【請求項９】
前記反射部材は、二酸化チタニウム（ＴｉＯ2）、銀（Ａｇ）、または白色ポリエチレンテレフタレート（ＰＥＴ）のうち、いずれか一種からなる、請求項１記載の光学シート。
【請求項１０】
前記反射部材と前記拡散層との間に形成され、前記拡散層を前記反射部材に接着させる接着パターンを更に含む、請求項１記載の光学シート。
【請求項１１】
表示装置に用いられるバックライトアセンブリであって、
光を発生する光源と、
前記光源よりも表示面側に配置され、透明材質で形成された透明プレートと、
前記透明プレートよりも表示面側に配置された光学シートと、を含み、
前記光学シートは、
前記透明プレートからの光を拡散する拡散層と、
前記拡散層を挟んで前記光源と反対側に配置された集光層と、
前記拡散層と前記集光層との間隔を維持し、前記拡散層と前記集光層との間にギャップを形成する反射部材を具備する反射パターン層と、を有する、バックライトアセンブリ。
【請求項１２】
前記集光層は、
ベースフィルムと、
前記ベースフィルム上に形成された複数のレンズと、
を含む請求項１１記載のバックライトアセンブリ。
【請求項１３】
前記集光層は、第１領域と、前記第１領域に接し、前記第１領域に位置するレンズの厚みに比してレンズの厚みが小さい第２領域と、で構成され、
前記反射部材は、前記集光層上の前記第２領域に対応する位置に、前記光源の長手方向に延びて形成されている、請求項１２記載のバックライトアセンブリ。
【請求項１４】
前記反射部材は、前記集光層の前記光源側の面に一体に形成されている、請求項１１記載のバックライトアセンブリ。
【請求項１５】
前記反射部材と前記拡散層との間に形成され、前記拡散層を前記反射部材に接着させる接着パターンを更に含む、請求項１１記載のバックライトアセンブリ。
【請求項１６】
画像を表示するディスプレイユニットと、バックライトアセンブリと、を含み、
前記バックライトアセンブリは、
前記画像を表示するための光を発生する光源と、
前記光源よりも表示面側に配置され、透明材質で形成された透明プレートと、
前記透明プレートよりも表示面側に配置された光学シートと、を有し、
前記光学シートは、
前記透明プレートからの光を拡散する拡散層と、
前記拡散層を挟んで前記光源と反対側に配置された集光層と、
前記拡散層と前記集光層との間隔を維持し、前記拡散層と前記集光層との間にギャップを形成する反射部材を具備する反射パターン層と、を有する表示装置。
【発明の詳細な説明】
【技術分野】
【０００１】
本発明は、光学シート、これを有するバックライトアセンブリ、及びこれを有する表示装置に関する。より詳細には、光効率を向上させると共にスリム化を図ることができる光学シート、これを有するバックライトアセンブリ及びこれを有する表示装置に関する。
【背景技術】
【０００２】
最近、画像を表示する表示装置は、その用途と種類に応じて急速に発展しつつあり、多様な種類の表示装置のうち、性能面からや機能面で優れる液晶表示装置が広く用いられている。
前記液晶表示装置は、現在広く用いられている平板型表示装置の一つであって、電極が形成された二枚の基板とその間に注入された液晶層で構成された液晶表示パネル（Ｌｉｑｕｉｄ  Ｃｒｙｓｔａｌ  ｄｉｓｐｌａｙ  ｐａｎｅｌ、以下ＬＣＤパネルと称する）を具備する。前記液晶表示装置は、前記液晶表示パネルの電極に電圧を印加して液晶層の液晶分子を再配列することにより、透過される光の量を調節して画像を表示する。
【０００３】
このような液晶表示装置は、外部から入ってくる光の量を調節するＬＣＤパネルを用いて画像を表示するので、前記ＬＣＤパネルに前記画像を形成するためには、前記ＬＣＤパネルに光を照射するための別途の光源、即ち、バックライトアセンブリが必要である。
【発明の開示】
【発明が解決しようとする課題】
【０００４】
前記バックライトアセンブリは、収納容器に積層されて前記ＬＣＤパネルに光を伝達する反射シートと、拡散板と、複数の光学シート及び前記拡散板の下部に配置され、前記光を発生するランプアセンブリと、を含む。前記光学シートは、薄いフィルム構造を有する拡散シート及びプリズムシートで構成される。
ここで、前記拡散板上の複数の光学シートが大型化することにより、薄いフィルム構造を有する光学シートの組立工程が更に複雑になるという問題点がある。
【０００５】
また、前記光学シートの組立工程が複雑になることによって、バックライトアセンブリの製造コストが上昇するという問題点がある。
本発明は、組立性を向上させると同時に、光の効率を向上させるための光学シートを提供することを目的とする。
また本発明は、前記の光学シートを有するバックライトアセンブリを提供することを目的とする。
【０００６】
さらに本発明は、前記バックライトアセンブリを有する表示装置を提供することを目的とする。
【課題を解決するための手段】
【０００７】
前記課題を解決するために、本発明１は、下記の構成要素を含む光学シートを提供する。
・光源からの光を拡散する拡散層、
・前記拡散層を挟んで前記光源と反対側に配置された集光層、
・前記集光層上に形成され、前記拡散層と前記集光層との所定の間隔を維持し、前記集光層と前記拡散層との間に前記間隔を有するギャップを形成する反射部材。
【０００８】
本発明２は、前記発明１において、前記拡散層には複数の凹凸が形成されている光学シートを提供する。
本発明３は、前記発明１において、前記集光層が、ベースフィルムと、前記ベースフィルム上に形成された複数のレンズと、を有する光学シートを提供する。
本発明４は、前記発明３において、前記複数のレンズのそれぞれが、前記光源の長手方向に沿って延び、互いに隣接し、前記長手方向に垂直な面における断面が半円形状である光学シートを提供する。
【０００９】
本発明５は、前記発明３において、前記複数のレンズのそれぞれは、前記光源の長手方向に沿って延び、互いに隣接し、前記長手方向に垂直な面における断面が、頂点が丸みを帯びた三角形状である光学シートを提供する。
本発明６は、前記発明３において、前記複数のレンズのそれぞれは、前記光源の長手方向に沿って延び、互いに隣接し、前記長手方向に垂直な面における断面が台形状である光学シートを提供する。
【００１０】
本発明７は、前記発明３において、前記反射部材は、前記複数のレンズの間の境界領域に対応する位置に、前記ランプの長手方向に延在して形成されている光学シートを提供する。
本発明８は、前記発明１において、前記反射部材は、前記集光層の光源側の面に一体に形成されている光学シートを提供する。
【００１１】
本発明９は、前記発明１において、前記反射部材が、二酸化チタニウム（ＴｉＯ2）、銀（Ａｇ）、または白色ポリエチレンテレフタレート（ＰＥＴ）のうち、いずれか一種からなる光学シートを提供する。
本発明１０は、前記発明１において、前記反射部材と前記拡散層との間に形成され、前記拡散層を前記反射部材に接着させる接着パターンを更に含む光学シートを提供する。
【００１２】
本発明１１は、表示装置に用いられるバックライトアセンブリであって、
・光を発生する光源と、
・前記光源よりも表示面側に配置され、透明材質で形成された透明プレートと、
・前記透明プレートよりも表示面側に配置された光学シートと、を含むバックライトアセンブリを提供する。ここで、前記光学シートは、以下の構成要素を有している。
・前記透明プレートからの光を拡散する拡散層、
・前記拡散層を挟んで前記光源と反対側に配置された集光層、
・前記拡散層と前記集光層との間隔を維持し、前記拡散層と前記集光層との間にギャップを形成する反射部材を具備する反射パターン層。
【００１３】
本発明１２は、前記発明１１において、前記集光層が、ベースフィルムと、前記ベースフィルム上に形成された複数のレンズと、を含むバックライトアセンブリを提供する。
本発明１３は、前記発明１２において、前記集光層は、第１領域と、前記第１領域に接し、前記第１領域に位置するレンズの厚みに比してレンズの厚みが小さい第２領域とで構成されているバックライトアセンブリを提供する。ここで、前記反射部材は、前記集光層上の前記第２領域に対応する位置に、前記光源の長手方向に延びて形成されている。
【００１４】
本発明１４は、前記発明１１において、前記反射部材が、前記集光層の前記光源側の面に一体に形成されているバックライトアセンブリを提供する。
本発明１５は、前記発明１１において、前記反射部材と前記拡散層との間に形成され、前記拡散層を前記反射部材に接着させる接着パターンを更に含むバックライトアセンブリを提供する。
【００１５】
本発明１６は、画像を表示するディスプレイユニットと、バックライトアセンブリと、を含む表示装置を提供する。ここで前記バックライトアセンブリは、以下の構成要素を有する。
・前記画像を表示するための光を発生する光源、
・前記光源よりも表示面側に配置され、透明材質で形成された透明プレート、
・前記透明プレートよりも表示面側に配置された光学シート。
【００１６】
また前記光学シートは、以下の構成要素を有する。
・前記透明プレートからの光を拡散する拡散層、
・前記拡散層を挟んで前記光源と反対側に配置された集光層、
・前記拡散層と前記集光層との間隔を維持し、前記拡散層と前記集光層との間にギャップを形成する反射部材を具備する反射パターン層。
【発明の効果】
【００１７】
本発明を用いれば、拡散層と集光層とを一体に形成するので組立が容易になる。また、反射部材によって二つの層の間のギャップを形成するため、光の損失を減少させることができる。
【発明を実施するための最良の形態】
【００１８】
≪バックライトアセンブリ≫
＜全体の構成＞
以下、本発明の望ましい実施例によるバックライトアセンブリを、添付図面を参照して詳細に説明する。
図１は、本発明の一実施例によるバックライトアセンブリを示す分解斜視図である。図２は、図１に示すバックライトアセンブリを一方向から見た側面図である。
【００１９】
図１及び図２に示したように、本発明によるバックライトアセンブリ１００は、ランプユニット２００、拡散板３００、光学シート４００、反射板５００、及び収納容器６００を含む。
前記ランプユニット２００は、光を発生するために並列に配列された複数のランプ２１０及びランプ２１０の両端を固定するためのランプホルダー２２０を含む。前記ランプ２１０は、棒形状を有する冷陰極管型蛍光ランプ（Ｃｏｌｄ  Ｃａｔｈｏｄｅ  Ｆｌｕｏｒｅｓｃｅｎｔ  Ｌａｍｐ、ＣＣＦＬ）で構成される。前記ランプ２１０の両端には、高電圧を印加するためのホット電極（図示せず）と、低電圧を提供するためのコールド電極（図示せず）と、がそれぞれ接続される。前記ランプホルダー２２０は、ランプ２１０のホット電極及びコールド電極を覆うようにそれぞれ設置される。
【００２０】
前記拡散板３００は、ランプユニット２００の図中上側、すなわち表側に形成され、ランプユニット２００からの前記光を拡散させる。また、拡散板３００は、図中上部側、すなわち表側に位置する光学シート４００を支持する。前記拡散板３００は、透明な材質からなる。ここで、拡散板３００は、ポリカーボネート（ＰＣ）やポリメチルメタクリレート（ＰＭＭＡ）で形成することができる。拡散板３００を透明材質で形成することにより、ランプユニット２００からの光の損失を減少することができる。
【００２１】
前記光学シート４００は、拡散及び集光機能を有する集光層４１０と、集光層４１０の図中下部側、すなわち裏側に、集光層４１０と一体に形成された拡散層４２０を含む。集光層４１０は、拡散層４２０を挟んでランプユニット２００と反対側に位置している。また、光学シート４００は、反射部材４３０及び接着パターン４４０を更に含む。ここで、反射部材４３０及び接着パターン４４０によって集光層４１０と拡散層４２０との間にギャップ４５０（図３参照）が形成される。前記ギャップ４５０は、空気層、真空層、不活性ガス層などを含む。前記反射部材４３０、前記接着パターン４４０、及び前記ギャップ４５０は、反射パターン層を形成する。
【００２２】
反射板５００は、ランプユニット２００の図中下側、すなわち裏側に形成され、ランプユニット２００から漏洩する光を反射させて拡散板３００に入射する。
収納容器６００は、反射板５００の図中下側、すなわち裏側に形成され、底部及び前記底板部の端部から延びた側部により収納空間を形成する。前記収納空間には、光学シート４００、拡散板３００、及びランプユニット２００が順次に収納される。
【００２３】
＜光学シート＞
（１）光学シートの構成
図３は、図１及び図２に示した光学シート４００の詳細断面図である。光学シート４００は、集光層４１０、拡散層４２０、反射部材４３０、及び接着パターン４４０を含む。
前記集光層４１０は、例えばポリカーボネート（ＰＣ）で形成されたベースフィルム４１２と、ベースフィルム４１２上に形成された複数のレンズ４１４と、を含む。前記複数のレンズ４１４は、ランプ２１０の長手方向に延びている。ランプ２１０の長手方向に垂直な面におけるレンズ４１４の断面形状は、半円形状である。
【００２４】
集光層４１０は、複数のレンズ４１４のそれぞれに対応する第１領域Ａ１と、隣接するレンズ４１４の境界領域に対応する第２領域Ａ２と、に区分される。前記第１領域Ａ１では、レンズ４１４の高さは、第２領域Ａ２に比べて相対的に高く形成されている。
集光層４１０は、拡散板３００を通じて提供された光を、集光させるだけでなく、拡散させる。即ち、複数のレンズ４１４によってランプ２１０の像が複数に結ばれるため、輝線が発生することを防止することができる。したがって、ランプ２１０との離隔距離を減少させることができ、バックライトアセンブリのスリム化を図ることができる。
【００２５】
より詳しくは、集光層４１０は、複数のレンズ４１４を含むため、ランプの像が複数個結像される。すなわち、集光層４１０は、単に集光のみを行うのではなく、光をミックスする。一般的に、輝線はランプと光学シートとの距離が近くなるほど発生しやすいが、集光層４１０により光をよりよくミックスすると、輝線の発生を抑制できる。従って、ランプ２１０と光学シート４００とをより一層近づけて、バックライトアセンブリをスリム化することができる。
【００２６】
拡散層４２０は、反射部材４３０上に形成された接着パターン４４０によって反射部材４３０に接着される。その結果、集光層４１０、反射部材４３０、及び拡散層４２０が一体に形成される。
拡散層４２０の背面には、複数のランプ２１０からの光を拡散させるための複数の凹凸４２５が形成される。前記複数の凹凸４２５は、拡散層４２０の背面から所定高さに突出して形成される。ここで、複数の凹凸４２５は、例えば砂を圧出噴射するサンドブラスティング方法によって形成される。また、拡散層４２０は、内部に拡散層４２０の残り部分と異なる屈折率を有する粒子である拡散ビーズを含まない。
【００２７】
前記拡散ビーズによって光が拡散されると、光損失に作用しうる±４２°を超える出射角の光が、拡散層４２０からの出射光の中で相対的に増加する。出射角は、光出射面に垂直な方向に対する出射光の角度である。一方、拡散層４２０内に前記拡散ビーズがない本実施形態例によると、前記拡散ビーズによる光の出射角の変化がなく、複数の凹凸４２５による無定形の拡散が行われるので、約±４２°を超える範囲の出射角を有する光が、拡散ビーズがある場合に比して相対的に減少する。
【００２８】
反射部材４３０は、集光層４１０の図中下側面に一体に形成される。前記反射部材４３０は、集光層４１０の第２領域Ａ２に対応する位置に配置され、ランプ２１０の長手方向に延び、所定高さを有するように形成される。ここで、反射部材４３０は、二酸化チタニウム（ＴｉＯ2）、銀（Ａｇ）、白色ポリエチレンテレフタレート（ＰＥＴ）のいずれかを用いて形成することが好ましい。
【００２９】
ギャップ４５０は、第１領域に形成された反射部材４３０及び接着パターン４４０によって、集光層４１０と拡散層４２０との間の第２領域に形成される。即ち、集光層４１０と拡散層４２０との間の第２領域には、反射部材４３０と接着パターン４４０の高さの和に相応するギャップ４５０が存在する。前記ギャップ内は、空気などの気体で満たされる。前記ギャップ４５０は、反射部材４３０及び接着パターン４４０によって、複数の区画に区分けされている。
【００３０】
集光層４１０と拡散層４２０との間にギャップ４５０が形成されることによって、拡散層４２０で拡散された光が、拡散層４２０から出射するときの出射角度を調節することができる。即ち、拡散層４２０で拡散された光のうち、集光層４１０で集光される約±４２°以下の出射角の光をギャップ４５０に通過させることによって、拡散層４２０からギャップ４５０に出射する光の出射角を小さくすることができる。ひいては、拡散層４２０から集光層４１０に入射する光の損失を減少させることができる。ギャップ４５０がない場合、拡散層４２０を通過した光のうち、出射角が約±４２°以上の光は、集光層４１０を通過せずに損失となる。しかし、ギャップ４５０を設ければ、ギャップ４５０は拡散した光が集光層４１０に入る前にバンプの役割を果たす。すなわち、拡散層４２０によってランダムに広がっていた光が、ギャップ４５０から集光層４１０に入射する際、面と垂直方向側に屈折し、損傷が減少する。
【００３１】
図４及び図５は、本発明の他の実施例による光学シートの断面図を示す。本実施例において、レンズの断面形状を除いた残りの構成要素は図３に示した実施例と同一であるので、重複される説明は省略する。
図４の複数のレンズ４１４のランプ２１０の長手方向に垂直な断面形状は、頂点が丸みを帯びたプリズム形状を有する。
【００３２】
図５の複数のレンズ４１４のランプ２１０の長手方向に垂直な断面形状は、概ね台形状である。
（２）光学シートの製法
図６乃至図８は、図３に示した反射部材の製造工程を示す断面図である。
図６に示すように、集光層４１０の図中上側の面、すなわち裏側の面に、反射部材を形成するための反射物質７００を形成する。前記反射物質７００は、二酸化チタニウム、銀、白色ＰＥＴなどを用いて形成することができる。前記集光層４１０は、図中下側の面、すなわち表側の面に形成された、複数のレンズ４１４を有する。
【００３３】
その後、反射物質７００の図中上側の面、すなわち裏側の面に、感光性のフォトレジスト７１０を形成する。前記フォトレジスト７１０は、紫外線（ＵＶ）光によって硬化する性質を有する。
フォトレジスト７１０を形成後、図７に示すように、集光層４１０の図中下側、すなわち表側から前記紫外線光を照射する。前記紫外線によって前記フォトレジスト７１０が硬化する。ここで、集光層４１０は、複数のレンズ４１４の高さ、すなわち厚みが相対的に大きい第１領域Ａ１と、レンズ４１４の境界付近でありレンズ４１４の高さ若しくは厚みが第１領域に比して相対的に低い第２領域Ａ２と、に分けることができる。
【００３４】
したがって、フォトレジスト７１０は、第１領域Ａ１に対応する領域と第２領域Ａ２に対応する領域とで、互いに異なる硬化度を有する。即ち、フォトレジスト７１０は、第２領域Ａ２に対応する領域では、第１領域Ａ１に比して相対的に高い硬化度を有する。
その後、前記紫外線光によって硬化したフォトレジスト７１０を用いて反射物質７００をパターニングする。したがって、第１領域Ａ１に対応する領域では反射物質７００が除去され、第２領域Ａ２に対応する領域にのみ反射物質７００が残る。これによって、第２領域Ａ２に対応する領域に反射部材４３０が形成される。
【００３５】
図８は、反射部材４３０上に接着パターン４４０を形成した状態を示す。例えば、伝写基板（図示せず）または伝写ローラ（図示せず）上にコーティングされた接着物質を反射部材４３０上に印刷し、接着パターン４４０を形成することができる。また、マスクを通じて反射部材４３０上に接着物質を直接印刷し、接着パターン４４０を形成することもできる。接着パターン４４０は、多様な方法で形成することができる。また接着パターンの材料としては、有機接着剤、無機接着剤、熱硬化性物質、光硬化物質などの多様な接着物質を用いることができる。
【００３６】
（３）ギャップの作用
図９は、図３に示したギャップによる光の出射角の調節原理を示す図面である。
図９に示したように、ランプ２１０から出射した第１光Ｌ１は、拡散板３００を通じて拡散された後、拡散層４２０に出射される。その後、前記第１光Ｌ１は、拡散層４２０から再び拡散してギャップ４５０に出射される。ここで、拡散層４２０で拡散されてギャップ４５０に出射される第２光Ｌ２は、点線で示した約±４２°を超える出射角の光を含む。
【００３７】
前記第２光Ｌ２は、ギャップ４５０を通過して集光層４１０に入射する。ここで、ギャップ４５０を通過して集光層４１０に入射する第３光Ｌ３の多くは、約±４２°以内の出射角を有する。即ち、第２光Ｌ２のうち、約±４２°を超える出射角の光はギャップ４５０を通過して屈折し、集光層４１０に向かって拡散層４２０から出射するときには約±４２°以内の出射角を有するようになる。
【００３８】
したがって、第３光Ｌ３は、集光層４１０で多く集光される。これによって、光損失を減少させることができる。
再び図３を参照すると、反射部材４３０は、集光層４１０で集光されず、下部に屈折する光を反射して集光層４１０に再入射させる。したがって、光効率を更に向上することができる。
【００３９】
＜バックライトアセンブリの効果＞
前述したように、本発明は、透明な拡散板３００によって光の損失を減少することができる。透明な拡散板３００によるランプ２１０の輝線の発生は、複数の凸レンズ４１４を有する集光層４１０によって防止することができる。したがって、輝線除去のためのランプ２１０と光学シート４００との間の離隔距離を減少させることができるため、バックライトアセンブリのスリム化を具現することができる。
【００４０】
また、集光層４１０と拡散層４２０との間に形成されたギャップ４５０によって拡散板３００からの拡散光の出射角を約±４２°以内の範囲に調節することによって、集光層４１０での光損失を抑制することができる。前記拡散層４２０の内部に拡散ビーズを含ませないことによって、拡散板３００からの拡散光のうち、約±４２°を超える出射角の光を減少させる。これによって、集光層４１０内での光損失を抑え、バックライトアセンブリの光効率を向上させることができる。
【００４１】
≪液晶表示装置≫
図１０は、本発明による液晶表示装置を示す分解斜視図である。本実施例で、バックライトアセンブリは、図１乃至図３に示したものと同一の構成を有するので、同一の構成に対しては同一の図面符号を用い、その重複される詳細な説明は省略する。
図１０を参照すると、本発明による液晶表示装置は、以下の構成要素(a)〜(c)を含む。
(a)光を供給するためのバックライトアセンブリ１００、
(b)バックライトアセンブリ１００から供給される光を用いて画像を表示するためのディスプレイユニット８００
(c)ディスプレイユニット８００をバックライトアセンブリ１００に固定するためのトップシャーシ９００。
【００４２】
前記バックライトアセンブリ１００は、以下の構成要素(a)〜(e)を含む。
(a)光を発生するランプユニット２００
(b)ランプユニット２００の上部に形成され、ランプユニット２００から発生した光を拡散させる拡散板３００
(c)拡散板３００の上部に形成され、前記拡散された光の光学特性を向上させる光学シート４００
(d)ランプユニット１００の下部に形成され、ランプユニット１００から漏洩した光をディスプレイユニット８００側に反射させる反射板５００
(e)反射板５００の下部に形成され、ランプユニット２００・拡散板３００・光学シート４００を順次に収納する収納容器６００。
【００４３】
光学シート４００は、集光層４１０、拡散層４２０、反射部材４３０、及び接着パターン４４０を含む。集光層４１０と拡散層４２０との間には、反射部材４３０及び接着パターン４４０によってギャップ４５０が形成されている。ギャップ４５０によって拡散層４２０から出射される光の出射角の範囲を調節することにより、集光層４１０での光損失を低減し、液晶表示装置の光効率を向上させることができる。
【００４４】
一方、ディスプレイユニット８００は、画像を表示する液晶表示パネル８１０、液晶表示パネル８１０を駆動するための駆動信号を出力するソース印刷回路基板８２０及びゲート印刷回路基板８３０を含む。
前記液晶表示パネル８１０は、薄膜トランジスタ（Ｔｈｉｎ  Ｆｉｌｍ  Ｔｒａｎｓｉｓｔｅｒ：以下、ＴＦＴ基板）８１２と、ＴＦＴ基板８１２と対向して結合するカラーフィルタ基板８１４と、及びＴＦＴ基板８１２及びカラーフィルタ基板８１４の間の液晶層（図示せず）と、を含む。
【００４５】
前記ＴＦＴ基板８１２は、スイッチング素子であるＴＦＴ（図示せず）がマトリクス形態に形成されている透明なガラス基板である。前記ＴＦＴのソース端子には、データラインが連結され、ゲート端子にはゲートラインが連結される。また、ドレイン端子には、透明な導電性材質からなる画素電極が連結される。
前記カラーフィルタ基板８１４は、ＴＦＴ基板８１２と一定間隔で離隔され、対向して配置される。前記カラーフィルタ基板８１４は、光が通過すると、所定の色を発現する色画素であるＲＧＢ画素が、薄膜工程によって形成された基板である。前記カラーフィルタ基板８１４の全面には透明な導電性材質からなる共通電極が形成される。
【００４６】
このような構成を有する液晶表示パネル８１０では、前記ＴＦＴのゲート端子に電源が印加されてＴＦＴがターンオンされると、画素電極と共通電極との間に電界が形成される。この電界によって、ＴＦＴ基板８１２とカラーフィルタ基板８１４との間の液晶の配列が変化する。液晶の配列変化によってバックライトアセンブリ１００から供給される光の透過度が偏光されて、希望する階調の画像を得るようになる。
【００４７】
前記ソース印刷回路基板８２０は、データ可撓性回路フィルム８４０を通じてＴＦＴ基板８１２の一端部に連結される。また、ゲート印刷回路基板８３０は、ゲート可撓性回路フィルム８５０を通じてＴＦＴ基板８１２の他端部に連結される。ソース印刷回路基板８２０及びゲート印刷回路基板８３０は、液晶表示パネル８１０を駆動するためのデータ駆動信号及びゲート駆動信号をそれぞれ生成して出力する。
【００４８】
前記ソース印刷回路基板８２０及びゲート印刷回路基板８３０から出力される駆動信号は、データ可撓性回路フィルム８４０及びゲート可撓性回路フィルム８５０を通じて液晶表示パネル８１０に入力される。データ可撓性回路フィルム８４０及びゲート可撓性回路フィルム８５０は、一例として、テープキャリアパッケージ（Ｔａｐｅ  Ｃａｒｒｉｅｒ  ｐａｃｋａｇｅ：ＴＣＰ）またはチップオンフィルム（Ｃｈｉｐ  ｏｎ  Ｆｉｌｍ：ＣＯＦ）で構成される。
【００４９】
ここで、データ可撓性回路フィルム８４０及びゲート可撓性回路フィルム８５０のそれぞれは、データ駆動チップ８６０及びゲート駆動チップ８７０を更に含むことができる。データ駆動チップ８６０は、ソース印刷回路基板８２０からのデータ駆動信号を適切なタイミングで液晶表示パネル８１０に印加するために、データ駆動信号のタイミングを制御する。ゲート駆動チップ８７０は、ゲート印刷回路基板８３０から提供されるゲート駆動信号を適切なタイミングで液晶表示パネル８１０に印加するために、ゲート駆動信号のタイミングを制御する。
【００５０】
前記データ駆動信号は、ＴＦＴ基板８１２に形成されたデータラインに出力するための駆動信号であり、データ可撓性回路フィルム８４０を通じてデータラインに印加される。前記ゲート駆動信号は、ＴＦＴ基板８１２に形成されたゲートラインを出力するための駆動信号であり、ゲート可撓性回路フィルム８５０を経由してゲートラインに印加される。これのために、ＴＦＴ基板８１２には、データ可撓性回路フィルム８４０とゲート可撓性回路フィルム８５０と、を連結するための導電配線（図示せず）が形成される。
【００５１】
一方、ディスプレイユニット８００は、バックライトアセンブリ１００の図中上側、すなわち表側から実装される。ここで、液晶表示パネル８１０は、アッパモールドフレーム９５０に収納され、バックライトアセンブリ１００の上部に配置される。また、ソース印刷回路基板８２０は、データ可撓性回路フィルム８４０のベンディングによって収納容器６００の背面に固定される。
【００５２】
前記トップシャーシ９００は、バックライトアセンブリ１００に収納された液晶表示パネル８１０のエッジを取り囲みかつ収納容器６００と結合する。前記トップシャーシ９００は、外部の衝撃による液晶表示パネル８１０の破損を防止し、液晶表示パネル８１０が収納容器６００から離脱することを防止する。
本発明の実施例では、液晶表示装置を例に挙げたが、光を拡散させるための拡散板を有する他の表示装置にも適用することができる。
【００５３】
≪発明の効果≫
本発明は、拡散層と集光層とが一体に形成され、集光層と拡散層との間に形成された反射部材によって集光層と拡散層との間にギャップが形成される。拡散層及び集光層が一体に形成されることによって組立性が向上して製造コストを節減することができる。また、拡散層と集光層との間に形成されたギャップによって拡散層から出射される光の出射角を調節し、集光層にて全て集光及び拡散することができるため、光損失を低減させることができる。
【００５４】
集光シートの上部面に光を集光すると同時に拡散させる複数のレンズを形成し、ランプの像を複数個結像することによって、輝線の発生を防止することができる。また、輝線発生の防止のためにランプと集光層の離隔距離を減少させることにより、バックライトアセンブリのスリム化を図ることができる。
拡散層内に従来存在していたビーズを形成せず、無定形の拡散のための複数の凹凸を拡散層の背面に形成することにより、集光層で損失される出射角度を有する光を相対的に低下させることができる。
【００５５】
透明な材質の拡散板を用いることにより、ランプから提供された光の損失を減少することができる。
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【００５６】
【図１】本発明は、一実施例によるバックライトアセンブリを示す分解斜視図
【図２】図１に示したＩ−Ｉ’に沿って見た断面図
【図３】図１及び図２に示した光学シートを詳細に示した断面図
【図４】本発明の他の実施例による光学シートを示す断面図
【図５】本発明の他の実施例による光学シートを示す断面図
【図６】図３に示した反射部材の製造工程を示す断面図（反射物質の形成）
【図７】図３に示した反射部材の製造工程を示す断面図（反射部材の形成）
【図８】図３に示した反射部材の製造工程を示す断面図（接着パターンの形成）
【図９】図３に示したギャップによる光の出射角の調節原理を示す説明図
【図１０】本発明による液晶表示装置を示す分解斜視図
【符号の説明】
【００５７】
１００    バックライトアセンブリ
２００    ランプユニット
３００    拡散板
４００    光学シート
４１０    集光層
４２０    拡散層
４３０    反射部材
４４０    接着パターン
４５０    ギャップ
５００    反射板
６００    収納容器
【図１】
2007025686.tif 000003
【図２】
2007025686.tif 000004
【図３】
2007025686.tif 000005
【図４】
2007025686.tif 000006
【図５】
2007025686.tif 000007
【図６】
2007025686.tif 000008
【図７】
2007025686.tif 000009
【図８】
2007025686.tif 000010
【図９】
2007025686.tif 000011
【図１０】
2007025686.tif 000012